(57)【特許請求の範囲】
【請求項１】
剃刀ヘッドとこれを首振り可能に支持するホルダとを備え、この剃刀ヘッドに形成した受圧部をその首振りに伴い圧接するように付勢した圧接頭部を有するプッシャを設けた首振り式剃刀において、
このプッシャの圧接頭部には、剃刀ヘッドの首振り方向に対し直交する方向で剃刀ヘッドの受圧部の両側を挟む腕部を設けているとともに、この両腕部間で剃刀ヘッドの受圧部の受圧面を圧接する圧接部を設け、剃刀ヘッドの首振り方向でこの圧接部の高さ寸法をこの両腕部の高さ寸法よりも大きくした
ことを特徴とする首振り式剃刀。
【請求項２】
前記プッシャは、前記剃刀ヘッドの首振りを阻止する規制状態と許容する解除状態とを取り得ることを特徴とする請求項１に記載の首振り式剃刀。
【請求項３】
前記プッシャを規制状態と解除状態とに設定する操作手段においては、
指当部を有する操作ノブを規制位置と解除位置との間で回動可能に設け、この操作ノブとプッシャとの間には操作ノブの規制位置で規制位置を取るとともに操作ノブの解除位置で解除位置を取る連動体を設け、
この連動体は、規制位置でプッシャを規制するようにプッシャに当接するとともに解除位置でプッシャの規制を解除するようにプッシャから離間する規制部を有し、
この連動体を解除位置に移動させるように付勢する弾性体の付勢力に抗して操作ノブの回動操作によりこの連動体を規制位置にする
ことを特徴とする請求項２に記載の首振り式剃刀。
【発明の詳細な説明】
【０００１】
【発明の属する技術分野】
本発明は、ホルダに対し剃刀ヘッドを首振り可能に支持する首振り式剃刀に関するものである。
【０００２】
【従来の技術】
従来、特開平１１−３０００６４号公報にかかる安全かみそりにおいては、同公報の図面に示すように、替刃カートリッジ２をその首振りに伴い圧接するように圧縮コイルばねにより付勢したプッシャー１４以外に、この替刃カートリッジ２の首振りを阻止するロック部１０を備えている。
【０００３】
【発明が解決しようとする課題】
従来の安全かみそりにおいては、ロック部１０のみで、替刃カートリッジ２に対する首振りロックを確実に行うことができず、替刃カートリッジ２の首振り動作を利用しない首振りロック状態で替刃カートリッジ２の振れを確実に防止することができない。そのため、替刃カートリッジ２の安定性の面で問題があり、剃り味に悪影響を及ぼすおそれがあった。
【０００４】
また、プッシャー１４の圧接頭部が両腕部により二股形状に形成されているため、首振り方向に対し直交する方向（替刃カートリッジ２の刃先の延設方向）での替刃カートリッジ２の振れを防止することはできる。しかし、その形状のみでは、替刃カートリッジ２の中立状態（替刃カートリッジ２に剃り力が与えられていないフリー状態）において首振り方向での替刃カートリッジ２の振れを特に剃り始めに防止することができず、替刃カートリッジ２の首振り動作を利用する首振り可能状態で替刃カートリッジ２の振れを確実に防止することができない。そのため、替刃カートリッジ２の安定性の面で問題があり、剃り味に悪影響を及ぼすおそれがあった。
【０００５】
この発明は、特にプッシャの圧接頭部の形態を改良し、剃刀ヘッド（前記替刃カートリッジ２に該当）の振れを確実に防止して安定性を向上させ、剃り味を良くすることを目的としている。
【０００６】
【課題を解決するための手段及び発明の効果】
後記実施形態の図面（図１〜４）の符号を援用して本発明を説明する。
【００１５】
＊  請求項１の発明
この発明にかかる首振り式剃刀は、下記のように構成されている。
この首振り式剃刀は、剃刀ヘッド（１）とこれを首振り可能に支持するホルダ（２）とを備えている。この剃刀ヘッド（１）に形成した受圧部（１１）をその首振りに伴い圧接するように付勢した圧接頭部（２３）を有するプッシャ（６）を設けている。このプッシャ（６）の圧接頭部（２３）には、剃刀ヘッド（１）の首振り方向に対し直交する方向（左右方向Ｙ）で剃刀ヘッド（１）の受圧部（１１）の両側を挟む腕部（２６）を設けているとともに、この両腕部（２６）間で剃刀ヘッド（１）の受圧部（１１）の受圧面（１１ａ）を圧接する圧接部（２７）を設けている。剃刀ヘッド（１）の首振り方向でこの圧接部（２７）の高さ寸法（Ｈ２７）をこの両腕部（２６）の高さ寸法（Ｈ２６）よりも大きくしている。
【００１６】
この発明では、プッシャ（６）の圧接頭部（２３）の両腕部（２６）により首振り方向に対し直交する方向（左右方向Ｙ）での剃刀ヘッド（１）の振れを防止することができるばかりではなく、このプッシャ（６）の圧接頭部（２３）で圧接部（２７）の高さ寸法（Ｈ２７）を大きくしたので、剃刀ヘッド（１）の中立状態（剃刀ヘッド１に剃り力が与えられていないフリー状態）において首振り方向での剃刀ヘッド（１）の振れを特に剃り始めに防止することができる。そのため、剃刀ヘッド（１）をホルダ（２）に対し安定性良く支持して首振りさせることができる。従って、剃刀ヘッド（１）の首振り動作を利用する首振り可能状態で、剃刀ヘッド（１）の振れを確実に防止して安定性を向上させ、剃り味を良くすることができる。
【００１７】
＊  請求項２の発明
この発明は、請求項１の発明を前提として下記のように構成されている。
前記プッシャ（６）は、前記剃刀ヘッド（１）の首振りを阻止する規制状態（Ｂ）と許容する解除状態（Ａ）とを取り得る。この発明では、プッシャ（６）によって剃刀ヘッド（１）の首振りを阻止することができる。そのため、剃刀ヘッド（１）に対する首振りロックを確実に行うことができる。従って、剃刀ヘッド（１）の首振り動作を利用する首振り可能状態に加え、剃刀ヘッド（１）の首振り動作を利用しない首振りロック状態でも、剃刀ヘッド（１）の振れを確実に防止して安定性を向上させ、剃り味を良くすることができる。
【００１８】
＊  請求項３の発明
この発明は、請求項２の発明を前提として下記のように構成されている。
前記プッシャ（６）を規制状態（Ｂ）と解除状態（Ａ）とに設定する操作手段においては、指当部（３５）を有する操作ノブ（３４）を規制位置（Ｑ）と解除位置（Ｐ）との間で回動可能に設け、この操作ノブ（３４）とプッシャ（６）との間には操作ノブ（３４）の規制位置（Ｑ）で規制位置（Ｑ）を取るとともに操作ノブ（３４）の解除位置（Ｐ）で解除位置（Ｐ）を取る連動体（７）を設けている。この連動体（７）は、規制位置（Ｑ）でプッシャ（６）を規制するようにプッシャ（６）に当接するとともに解除位置（Ｐ）でプッシャ（６）の規制を解除するようにプッシャ（６）から離間する規制部（規制段差部３２）を有している。この連動体（３２）を解除位置（Ｐ）に移動させるように付勢する弾性体（例えば、ばね３３等）の付勢力に抗して操作ノブ（３４）の回動操作によりこの連動体（７）を規制位置（Ｑ）にする。この発明では、プッシャ（６）に対する操作手段の構造を簡単にして首振りロック機構の構造を簡単にすることができる。
【００１９】
【発明の実施の形態】
以下、本発明の一実施形態にかかる首振り式剃刀について図面を参照して説明する。
【００２０】
この首振り式剃刀は、図１に示すように、剃刀ヘッド１とこれを首振り可能に支持するホルダ２とを備えている。このホルダ２の頭部３内には、後で詳述する両支持アーム４と開閉操作部５とプッシャ６とロック体７とロック操作機構８とを備えている。
【００２１】
＜前記剃刀ヘッド１＞
この剃刀ヘッド１の表側で三枚の刃体９が露出している。その裏側においては、左右両側（刃体９の刃先延設方向である左右方向Ｙの両側）に支持孔１０（支持部）が形成され、左右方向Ｙの中央部で受圧部１１が形成されているとともに、この受圧部１１の左右両側に隣接して当接部１２が形成されている。
【００２２】
＜前記両支持アーム４＞
この両支持アーム４は、前記ホルダ２の頭部３内の左右両側で支軸１３により回動可能に支持され、この左右両支軸１３から延設された支持腕部１４と連動腕部１５とからなる。この左右両支持腕部１４の先端部は、ホルダ２の頭部３の前側から外側へ突出し、その外側で相対向する支持突部１６（支持部）を有している。ホルダ２の頭部３内においてこの左右両連動腕部１５の先端部には連動凸部１７（連動部）が左右両支軸１３間で相対向して形成されている。この左右両支持アーム４が左右両支軸１３を中心に回動すると、左右両支持腕部１４の支持突部１６が互いに接近離間して開閉動する。
【００２３】
＜前記開閉操作部５＞
この開閉操作部５は、前記ホルダ２の頭部３内において前記左右両支持アーム４の連動腕部１５間で挿嵌された可動体１８と、この可動体１８の上側に一体的に連結されてホルダ２の頭部３の上側から露出する指当部１９とを備えている。この可動体１８内には案内孔２０が前後方向Ｘへ延びるように形成されてその前側で開放されている。この可動体の下側にはストッパ孔２１が前後方向Ｘへ延びるように形成され、その上側で案内孔２０に連通している。この可動体１８の左右両側には連動凹部２２（連動部）が形成されている。この左右両連動凹部２２には前記左右両支持アーム４の連動凸部１７が係合されている。この開閉操作部５は、前後方向Ｘへ一定範囲だけ移動して前進位置Ｆ（図３参照）と後退位置Ｒ（図１，２参照）とを取る。この開閉操作部５の後退位置Ｒで、左右両支持アーム４は、それらの連動凸部１７と開閉操作部５の左右両連動凹部２２との係合により回動し、左右両支持突部１６で互いに接近して閉動する。その閉動により、この左右両支持アーム４の支持突部１６が前記剃刀ヘッド１の左右両支持孔１０に係入され、剃刀ヘッド１はこの左右両支持突部１６を中心に上下方向Ｚを含む鉛直面に沿って一定角度範囲で回動する。この開閉操作部５の前進位置Ｆでは、左右両支持アーム４が左右両支持突部１６で互いに離間して開動し、この左右両支持アーム４の支持突部１６が前記剃刀ヘッド１の左右両支持孔１０から抜け、剃刀ヘッド１がホルダ２から離脱する。
【００２４】
＜前記プッシャ６＞
このプッシャ６は、前側の圧接頭部２３と後側の尻部２４とからなり、この尻部２４で前記開閉操作部５の可動体１８の案内孔２０にその前側から挿嵌されている。この尻部２４の下側にはストッパ突起２５が形成され、この可動体１８のストッパ孔２１に係入されている。この圧接頭部２３は前記左右両支持アーム４の支持突部１６間でホルダ２の頭部３の前側から突出している。この圧接頭部２３の先端部においては、前記剃刀ヘッド１の首振り方向（上下方向Ｚを含む鉛直面に沿って一定角度範囲で回動する方向）に対し直交する左右方向Ｙで腕部２６が突設され、この左右両腕部２６間で圧接部２７が形成されているとともに、この両腕部２６と圧接部２７との間で支持凹部２７ａ(図４参照)が形成されている。図４に示すように、この剃刀ヘッド１の首振り方向でこの圧接部２７の高さ寸法Ｈ２７は、この左右両腕部２６の高さ寸法Ｈ２６よりも大きくなっている。このプッシャ６は、そのストッパ突起２５でストッパ孔２１の前後両端部に当接し得る範囲で、前後方向Ｘへ移動する。前記可動体１８の案内孔２０においてこのプッシャ６の尻部２４と可動体１８との間には圧縮コイルばね２８（弾性体）が支持され、この圧縮コイルばね２８の弾性力によりプッシャ６が前方へ付勢されている。このプッシャ６の圧接頭部２３は前記剃刀ヘッド１に対しその首振りに伴い圧接される。その圧接状態では、この圧接頭部２３の圧接部２７が剃刀ヘッド１の受圧部１１のＶ状受圧面１１ａを圧接するとともに、この圧接頭部２３の左右両腕部２６が剃刀ヘッド１の受圧部１１の左右両側を挟む。
【００２５】
＜前記ロック体７＞
このロック体７は、前記ホルダ２の頭部３内において前後方向Ｘへ移動可能に挿嵌され、後枠部２９の左右両側から前方へ延びる左右両ロックアーム３０を備えている。この左右両ロックアーム３０は、前記開閉操作部５の可動体１８及びプッシャ６の左右両側に隣接して配置され、前端部に規制頭部３１を有している。この左右両ロックアーム３０の前後方向Ｘの中央部には規制段差部３２（規制部）が相対向して形成されている。この左右両規制段差部３２は、前記プッシャ６に対する連動手段として機能し、ロック体７の前後移動に伴い、プッシャ６の圧接頭部２３の後部左右両側に当接し得る。
【００２６】
＜前記ロック操作機構８＞
前記ロック体７において左右両ロックアーム３０間で後枠部２９とホルダ２の頭部３との間には圧縮コイルばね３３（弾性体）が支持され、この圧縮コイルばね３３の弾性力によりロック体７が後方へ付勢されている。この左右両ロックアーム３０の規制頭部３１は、ロック体７の前後移動に伴い、前記剃刀ヘッド１の左右両当接部１２に当接し得る。
【００２７】
前記ホルダ２の頭部３内において前記開閉操作部５の可動体１８及び指当部１９や前記ロック体７の後枠部２９の後方で操作ノブ３４（偏心カム）が左右方向Ｙの回動中心線３４ａを中心にして回動可能に支持されている。この操作ノブ３４は、ホルダ２の頭部３の上側から露出する指当部３５を有している。この操作ノブ３４の外周面には、回動中心線３４ａからの距離が異なる規制面３６と解除面３７とが形成されている。ホルダ２の延設方向である長手方向に沿って操作ノブ３４を回動させると、半径の大きい規制面３６が前記ロック体７の後枠部２９に当接し、ロック体７が圧縮コイルばね３３の弾性力に抗して前方へ移動する。また、半径の小さい解除面３７が前記ロック体７の後枠部２９に当接すると、ロック体７が圧縮コイルばね３３の弾性力により後方へ移動する。
【００２８】
＜首振り式剃刀の使用例＞
＊  図１に示すロック解除状態
前記開閉操作部５が後退位置Ｒにあり、左右両支持アーム４が互いに閉動して剃刀ヘッド１が一定角度範囲で首振りし得る。
【００２９】
前記操作ノブ３４は解除位置Ｐにある。この操作ノブ３４の解除面３７が前記ロック体７の後枠部２９に当接し、ロック体７は圧縮コイルばね３３の弾性力により後方へ移動して解除位置Ｐになる。このロック体７の解除位置Ｐでは、左右両ロックアーム３０の規制頭部３１が剃刀ヘッド１の左右両当接部１２から離間してロック解除状態になるとともに、前記左右両ロックアーム３０の規制段差部３２が前記プッシャ６の圧接頭部２３から離間してプッシャ６が解除状態Ａ（ロック解除状態）になる。従って、剃刀ヘッド１は、中立状態（剃刀ヘッド１に剃り力が与えられていないフリー状態）で停止し、その中立状態から上下方向Ｚへ首振り可能な状態となる。なお、この場合、前記開閉操作部５の可動体１８及び指当部１９は、ロック体７に関係なく後退位置Ｒを維持している。
【００３０】
この中立状態では、図４に示すようにプッシャ６の圧接頭部２３で圧接部２７の高さ寸法Ｈ２７が大きくなって、受圧面１１ａに対する接触部である上下両支点部２７ｂ間の間隔Ｗも大きくすることができる。そのため、この圧接部２７の上下両支点部２７ｂで剃刀ヘッド１の受圧部１１を支えた場合、特に剃り始めに剃刀ヘッド１に対し与えられる力を、間隔Ｗの大きい上下両支点部２７ｂが受ける。従って、首振り方向での剃刀ヘッド１の振れを特に剃り始めに防止することができる。
【００３１】
また、前述したように上下両支点部２７ｂ間の間隔Ｗを大きくした場合、剃刀ヘッド１の回動中心（前記剃刀ヘッド１の左右両支持孔１０と前記左右両支持アーム４の支持突部１６との係合部）から上下両支点部２７ｂまでの半径が大きくなる。そのため、剃刀ヘッド１の首振り角度が同じである場合、剃刀ヘッド１の受圧部１１により押されて移動するプッシャ６の移動距離が大きくなって圧縮コイルばね２８の収縮距離が大きくなる。従って、圧縮コイルばね２８の反発弾性力すなわち剃刀ヘッド１の復帰力が大きくなり、剃刀ヘッド１の復帰を円滑に行うことができる。
【００３２】
さらに、圧接部２７の高さ寸法Ｈ２７と比較して左右両腕部２６の高さ寸法Ｈ２６を小さくしたので、比較的狭い剃刀ヘッド１の裏側でも剃刀ヘッド１の首振り時に左右両腕部２６がその裏側に当たりにくくなり、剃刀ヘッド１の回動範囲が広がって首振りを円滑に行うことができる。
【００３３】
＊  図２に示すロック状態
図１に示すロック解除状態から、前記操作ノブ３４を規制位置Ｑにすると、この操作ノブ３４の規制面３６が前記ロック体７の後枠部２９に当接し、ロック体７は圧縮コイルばね３３の弾性力に抗して前方へ移動して規制位置Ｑになる。このロック体７の規制位置Ｑでは、左右両ロックアーム３０の規制頭部３１が剃刀ヘッド１の左右両当接部１２に当接してロック状態になるとともに、前記左右両ロックアーム３０の規制段差部３２がプッシャ６の圧接頭部２３に当接してプッシャ６が規制状態Ｂ（ロック状態）になる。ちなみに、中立状態でプッシャ６の位置は図１の解除状態Ａ（ロック解除状態）でも図２の規制状態Ｂ（ロック状態）でもほとんど変化しない。従って、剃刀ヘッド１は、中立状態（剃刀ヘッド１に剃り力が与えられていないフリー状態）でロックされて首振り不能な状態となる。この中立状態（ロック状態）にあっても、前述したように圧接部２７の上下両支点部２７ｂで剃刀ヘッド１の受圧部１１が支えられる。そのため、剃刀ヘッド１に対し与えられる力を、間隔Ｗの大きい上下両支点部２７ｂが受ける。従って、剃刀ヘッド１に対する首振りロックを確実に行うことができる。なお、この場合、前記開閉操作部５の可動体１８及び指当部１９は、ロック体７に関係なく後退位置Ｒを維持している。
【００３４】
一方、このロック状態から、前記操作ノブ３４を解除位置Ｐにすると、図１に示すロック解除状態に戻る。
＊  図３に示す剃刀ヘッド離脱可能状態
前記開閉操作部５が前進位置Ｆにあり、左右両支持アーム４が互いに開動して剃刀ヘッド１がホルダ２から離脱する。
【００３５】
〔別例〕
＊  前記ロック体７の左右両ロックアーム３０において、規制頭部３１を省略し、規制段差部３２は形成する。その場合、ロック体７は、ロック機能を有せず、単に、操作ノブ３４の動きを前記プッシャ６に伝える連動体としてのみ機能する。従って、このプッシャ６のみがロック機能を果たす。
【００３６】
＊  前記開閉操作部５の可動体１８及び指当部１９、前記プッシャ６、前記ロック体７及び前記ロック操作機構８の操作ノブ３４については、プラスチックのみばかりではなく、プラスチックにガラス繊維を混入した複合材を採用して強度を高めたり、プラスチックにシリコンを混入した複合材を採用して摺動性を高めてもよい。また、前記支持アーム４については、金属ばかりではなく、同様な複合材を採用してもよい。
【図面の簡単な説明】
【図１】  （ａ）は本実施形態にかかる首振り式剃刀において剃刀ヘッドをホルダに支持したロック解除状態を正面側から見た部分断面図であり、（ｂ）は同じくホルダの頭部内を平面側から見た部分断面図である。
【図２】  （ａ）は本実施形態にかかる首振り式剃刀において剃刀ヘッドをホルダに支持したロック状態を正面側から見た部分断面図であり、（ｂ）は同じくホルダの頭部内を平面側から見た部分断面図である。
【図３】  （ａ）は本実施形態にかかる首振り式剃刀において剃刀ヘッドをホルダから分離する途中の状態を正面側から見た部分断面図であり、（ｂ）は同じくホルダの頭部内を平面側から見た部分断面図である。
【図４】  （ａ）は図１，２に示すプッシャの圧接頭部を示す部分斜視図であり、（ｂ）は剃刀ヘッドに対するプッシャの圧接状態を示す図１，２の部分拡大断面図である。
【符号の説明】
１…剃刀ヘッド、２…ホルダ、６…プッシャ、７…ロック体（連動体）、１１…受圧部、１１ａ…受圧面、１２…当接部、２３…圧接頭部、２６…腕部、２７…圧接部、２８…圧縮コイルばね（弾性体）、３１…規制頭部、３２…規制部である規制段差部（連動手段）、３３…圧縮コイルばね（弾性体）、３４…操作ノブ、３５…指当部、Ｈ２６…腕部の高さ寸法、Ｈ２７…圧接部の高さ寸法、Ｐ…解除位置、Ｑ…規制位置、Ａ…解除状態、Ｂ…規制状態。
【図１】
0004848110.tif 000002
【図２】
0004848110.tif 000003
【図３】
0004848110.tif 000004
【図４】
0004848110.tif 000005